(57)【特許請求の範囲】
【請求項１】
パチンコ遊技機の本体枠に開閉可能に配設された打球供給皿において，
該打球供給皿は，背面板と該背面板の前面側に設けられた球皿部と，該球皿部から下方に球を導く球流路を有してなると共に，上記球皿部と，発射装置に球を導く整流器と，上記球皿部に備蓄された球を外部へ導出する球抜き口とを備え，上記球皿部が２段に分離されることなく１段に設けられた一体皿構造を有しており，
上記球流路として，上記球皿部に備蓄された球を上記背面板の前面側に設けられた球抜き口に導く球抜通路が設けられており，該球抜通路は上記背面板の前面側において該背面板と下壁部と上壁部とにより囲まれて構成されており，
上記背面板には，該背面板の後面側から上記球抜通路に連通する球抜通路開口部，及び該球抜通路開口部を閉塞して上記球抜通路の側壁の一部となる球抜通路メンテナンス扉が設けられていることを特徴とするパチンコ遊技機の打球供給皿。
【請求項２】
請求項１において，上記球流路として，発射装置に球を導く整流器へ通ずる整流通路が設けられており，上記背面板には，該背面板の後面側から上記整流通路に連通する整流通路開口部，及び該整流通路開口部を閉塞して上記整流通路の側壁の一部となる整流通路メンテナンス扉が設けられていることを特徴とするパチンコ遊技機の打球供給皿。
【請求項３】
請求項２において，上記背面板には，上記整流器を配設するための整流器配設凹部が設けられており，該整流器配設凹部に繋がるように上記整流通路開口部を設けてあることを特徴とするパチンコ遊技機の打球供給皿。
【請求項４】
請求項３において，上記整流通路における上記整流通路メンテナンス扉は，上記整流器を所定の位置に設置することによって閉塞状態で固定されるよう構成されていることを特徴とするパチンコ遊技機の打球供給皿。
【発明の詳細な説明】
【０００１】
【技術分野】
本発明は，パチンコ遊技機の打球供給皿の構造に関する。
【０００２】
【従来技術】
パチンコ遊技機においては，本体枠に配設された遊技盤の下方に，上記本体枠に開閉可能に打球供給皿が配設されている。この打球供給皿としては，２段に分離された構造のものと，１段に一体的に設けられた一体皿構造のものとがある。いずれの構造の打球供給皿においても，その背面には背面板が配設され，その前面側に球皿部が配設されている。
そして，球皿部からは，これに備蓄された球を整流器等へ導く球流路として整流通路が設けられている。また上記２段構造の場合には下段側に設けられた受け皿に通じる球抜き口へ，上記一体皿構造の場合には外部へ通じる球抜き口へ，それぞれ上記球皿部から球抜通路としての球流路が設けられている。また，上記整流通路や球抜通路以外の球流路が設けられる場合もある。
【０００３】
【解決しようとする課題】
ところで，稼働しているパチンコ遊技機においては，上記各構造の打球供給皿の球流路を毎日多数の球が通過する。そのため，上記球流路は徐々に汚れてくるので掃除が必要となる。その場合にパチンコ遊技機の管理者は，狭い球流路の一端あるいは両端から掃除用具を突っ込んで掃除をする。また，上記球流路において球詰まりが生じた場合には，上記球流路の両端又は一端から球詰まりを解消することを試みる。しかし，簡単に球詰まりが解消できない場合には，打球供給皿をばらす必要も生じうる。
【０００４】
本発明は，かかる従来の問題点に鑑みてなされたもので，球流路の清掃や球詰まり解消等のメンテナンスを容易に行うことができるパチンコ遊技機の打球供給皿を提供しようとするものである。
【０００５】
【課題の解決手段】
請求項１の発明は，パチンコ遊技機の本体枠に開閉可能に配設された打球供給皿において，
該打球供給皿は，背面板と該背面板の前面側に設けられた球皿部と，該球皿部から下方に球を導く球流路を有してなると共に，上記球皿部と，発射装置に球を導く整流器と，上記球皿部に備蓄された球を外部へ導出する球抜き口とを備え，上記球皿部が２段に分離されることなく１段に設けられた一体皿構造を有しており，
上記球流路として，上記球皿部に備蓄された球を上記背面板の前面側に設けられた球抜き口に導く球抜通路が設けられており，該球抜通路は上記背面板の前面側において該背面板と下壁部と上壁部とにより囲まれて構成されており，
上記背面板には，該背面板の後面側から上記球抜通路に連通する球抜通路開口部，及び該球抜通路開口部を閉塞して上記球抜通路の側壁の一部となる球抜通路メンテナンス扉が設けられていることを特徴とするパチンコ遊技機の打球供給皿にある。
【０００６】
次に，本発明の作用につき説明する。
本発明の打球供給皿は，上記打球供給皿の上記背面板に上記球流路に連通する開口部と，該開口部を閉塞するメンテナンス扉を設けている。そのため，上記球流路を清掃したい場合，あるいは，上記球流路内に生じた球詰まりを解消したい場合には，上記開口部及びメンテナンス扉を利用して非常に容易に清掃あるいは球詰まり解消を行うことができる。
【０００７】
すなわち，上記清掃必要時あるいは球詰まり解消時には，まず，上記打球供給皿を本体枠から前方へ開き，上記背面板を外部へ露出させる。次いで，処理すべき球流路に最も近い位置にある上記開口部のメンテナンス扉を開き，上記開口部を開放する。そして，清掃あるいは球詰まり解消等の適切な処理を行う。そして，処理終了後には，上記開口部をメンテナンス扉により閉塞する。その後，打球供給皿を本体枠に収納する。
【０００８】
このような一連の作業において，背面板に設けられた上記開口部を利用することができるので，従来よりも非常に簡単に清掃あるいは球詰まり解消等の処理を行うことができる。また，開口部を利用する場合以外のときには，上記メンテナンス扉を閉じておくことにより，球流路に支障を来すこともない。
【０００９】
したがって，本発明においては，球流路の清掃や球詰まり解消等のメンテナンスを容易に行うことができるパチンコ遊技機の打球供給皿を提供することができる。
【００１０】
次に，請求項２の発明のように，上記球流路として，発射装置に球を導く整流器へ通ずる整流通路が設けられており，上記背面板には，該背面板の後面側から上記整流通路に連通する整流通路開口部，及び該整流通路開口部を閉塞して上記整流通路の側壁の一部となる整流通路メンテナンス扉が設けられていることが好ましい。この場合には，球詰まりや清掃の必要性が生じやすい上記整流通路を，上記開口部を通じて容易にメンテナンスを行うことができる。
【００１１】
また，請求項３の発明のように，上記背面板には，上記整流器を配設するための整流器配設凹部が設けられており，該整流器配設凹部に繋がるように上記整流通路開口部を設けてあることが好ましい。この場合には，上記整流器を取り外し，かつ上記整流器配設凹部に繋がる上記開口部のメンテナンス扉を開くことにより，上記開口部から上記整流器配設凹部まで連続して開放することができる。それ故，上記整流通路の清掃あるいは球詰まり解消を非常に容易に行うことができる。
【００１２】
また，請求項４の発明のように，上記整流通路における上記整流通路メンテナンス扉は，上記整流器を所定の位置に設置することによって閉塞状態で固定されるよう構成されていることが好ましい。この場合には，上記整流器を設置している際に上記整流通路のメンテナンス扉が必ず閉じている状態を得ることができる。そのため，整流器を設置して稼働状態にあるパチンコ遊技機において，上記整流通路のメンテナンス扉が不用意に開くことを確実に防止することができる。
【００１３】
また，本発明では，上記球流路として，上記球皿部に備蓄された球を球抜き口に導く球抜通路が設けられており，上記背面板には上記球抜通路に連通する上記球抜通路開口部及び該球抜通路開口部を閉塞する上記球抜通路メンテナンス扉が設けられている。この場合には，上記球抜通路に通じる上記開口部及びメンテナンス扉を利用することにより，球抜通路の清掃あるいは球詰まり解消を非常に容易に行うことができる。
【００１４】
また，上記メンテナンス扉を閉じた状態で固定する扉閉状態保持手段を有することが好ましい。すなわち，上記メンテナンス扉は，上記開口部を開閉する役割をするが，パチンコ遊技機の稼働時には閉じた状態を維持することが必要となる。このとき，メンテナンス扉を閉じた状態に固定する手段としては，例えば打球供給皿を本体枠に閉じた際に他部材が当接して固定する様な機構を設けることも可能であるが，積極的に扉閉状態保持手段を設けることが好ましい。この場合には，確実に上記メンテナンス扉の閉状態を維持することができる。なお，上記扉閉状態保持手段としては，種々の構造をとることができる。
【００１５】
また，上記メンテナンス扉を開いた状態で固定する扉開状態保持手段を有することが好ましい。上記メンテナンス扉が例えば上から下に垂れ下がって開く場合には，メンテナンス扉を開いた状態を簡単に確保することができる。しかし，上下逆方向，あるいは左右方向へ開閉するメンテナンス扉の場合には，上記扉開状態保持手段を設けた方が好ましい。この場合には，メンテナンス扉を開いた状態を容易に維持することができ，清掃あるいは球詰まり解消処理をスムーズに行うことができる。
【００１６】
また，本発明の上記打球供給皿は，上記球皿部と，発射装置に球を導く整流器と，上記球皿部に備蓄された球を外部へ導出する球抜き口とを備え，上記球皿部が２段に分離されることなく１段に設けられた一体皿構造を有している。上記一体皿構造の場合には，２段式の場合よりも上記球流路が長く，掃除がやりにくく，また球詰まり解消処理が困難である。それ故，上記背面板に上記開口部及び上記メンテナンス扉を設けることが特に有効である。
【００１７】
【発明の実施の形態】
実施形態例１
本発明の実施形態例にかかるパチンコ遊技機の打球供給皿につき，図１〜図７を用いて説明する。
本例の打球供給皿２は，図１，図２に示すごとく，パチンコ遊技機１の本体枠１０に開閉可能に配設された打球供給皿である。そして，図３に示すごとく，この打球供給皿２は，背面板２０と該背面板２０の前面側に設けられた球皿部２１と，該球皿部から下方に球を導く球流路３１〜３３を有している。背面板２０には，球流路３１，３２に連通する開口部４１，４２（図７）と，開口部４１，４２を閉塞するメンテナンス扉５１，５２を設けている。
【００１８】
以下，これを詳説する。
なお，図３，図６，図７は上記背面板２０を背面側から見た説明図である。そして，図３は，上記メンテナンス扉５１，５２と後述する整流器２２を配設した状態の図である。又，図６は，上記整流器２２のみを取り外した状態の図である。図７は，上記整流器２２と上記メンテナンス扉５１，５２とを取り外した状態の図である。
【００１９】
本例の打球供給皿２は，図３に示すごとく，上記球皿部２１の他に，発射装置に球を導く整流器２２と，球皿部２１に備蓄された球を外部へ導出する球抜き口２３とを一体的に備えた一体皿構造を有している。
【００２０】
そして，上記球流路として，発射装置に球を導く整流器２２へ通ずる整流通路３１が設けられている。この整流通路３１は，図３，図４に示すごとく，下壁部３１１，上壁部３１２，前壁部３１５と背面板２０とにより囲まれて構成されている。そして，図３，図４，図７に示すごとく，背面板２０には，整流通路３１に連通する整流通路開口部４１（以下，第１開口部４１という），及び該第１開口部４１を閉塞して整流通路３１の側壁の一部となる整流通路メンテナンス扉５１（以下，第１メンテナンス扉５１という）が設けられている。
また，上記背面板２０には，図６，図７に示すごとく，整流器２２を配設するための整流器配設凹部４９が設けられている。そして，この整流器配設凹部４９に繋がるように上記第１開口部４１を設けてある。
【００２１】
また，図３，図６に示すごとく，上記第１メンテナンス扉５１は，その左端にヒンジ部５１７を有し，該ヒンジ部５１７を中心に左右に開閉するよう構成されている。また，図６に示すごとく，第１メンテナンス扉５１の右端には，上記整流器２２と係合する係合片５１８が設けられている。そして，第１メンテナンス扉５１は，整流器２２を所定の位置に設置することによって上記係合片５１８が整流器２２によって押さえられ，閉塞状態で固定されるよう構成されている。
【００２２】
また，本例の打球供給皿２は，図３〜図７に示すごとく，球流路として，上記球皿部２１に備蓄された球を球抜き口２３（図５）に導く球抜通路３２が設けられている。この球抜通路３２は，図３，図５に示すごとく，下壁部３２１，上壁部３２２と背面板２０とにより囲まれて構成されている。そして，図３，図５〜図７に示すごとく，背面板２０には，球抜通路３２に連通する球抜通路開口部４２（以下，第２開口部４２という），及び該第２開口部４２を閉塞して上記球抜通路３２の側壁の一部となる球抜通路メンテナンス扉５２（以下，第２メンテナンス扉５２という）が設けられている。
【００２３】
また図３に示すごとく，上記球抜通路３２の上方には，球皿部２１に設けたスライド可能なシャッター２１５が位置している。そして，このシャッター２１５を開くことにより，球皿部２１に備蓄された球を強制的に上記球抜通路３２に導くことができる。球抜通路３２に導かれた球は，その下方の球抜き口２３から外部へ導出される。
【００２４】
また，図３，図６に示すごとく，上記第２メンテナンス扉５２は，その上端にヒンジ部５２７が設けられており，これを中心に上下方向に開閉するよう構成されている。
【００２５】
また，上記整流器２２と球抜き口２３との間には，第３の球流路としての整流部球抜通路３３が設けられている。この整流部球抜通路３３は，図３，図４に示すごとく，下壁部３３１，上壁部３３２，前壁部３１５と背面板２０とにより囲まれて構成されており，整流器２２から発射装置へ送られずに球抜き口２３へ直接送る球が通る通路である。なお，この整流部球抜通路３３には，開口部及びメンテナンス扉は設けなかった。しかし，この通路に開口部及びメンテナンス扉を設けることも可能である。
【００２６】
また，本例の打球供給皿２の全体構造は，背面側から見て右端部にヒンジ部２７を有する構造になっており，このヒンジ部２７を用いて本体枠１０に開閉可能に固定してある。そして，打球供給皿２の背面側から見て左端部側には，打球供給皿２を閉じた状態に固定する錠部（図示略）が設けてある。
【００２７】
次に，本例の作用効果につき説明する。
本例のパチンコ遊技機１の打球供給皿２は，上記のごとく一体皿構造を有し，複雑な球流路３１〜３３を一体的に有している。そのため，上記開口部やメンテナンス扉がなければ，球流路内の清掃はやりにくく，また，球詰まりの際にこれを解消することが困難である。特に，整流通路３１は球詰まりが起こりやすく，上記球抜通路３２は清掃の必要性が高い。
【００２８】
ここで，本例の打球供給皿２は，背面板２０に上記球流路３１，３２に連通する開口部４１，４２（第１開口部４１，第２開口部４２）と，開口部を閉塞するメンテナンス扉５１，５２（第１メンテナンス扉５１，第２メンテナンス扉５２）を設けている。そのため，上記球流路３１，３２を清掃したい場合，あるいは，球流路３１，３２内に生じた球詰まりを解消したい場合には，開口部４１，４２及びメンテナンス扉５１，５２を利用して非常に容易に清掃あるいは球詰まり解消を行うことができる。
【００２９】
すなわち，上記清掃必要時あるいは球詰まり解消時には，まず，打球供給皿２全体を錠部を解除して本体枠１０から前方へ開き，背面板２０を外部へ露出させる。次いで，処理すべき球流路３１あるいは３２にある開口部４１，４２のメンテナンス扉５１，５２を開き，開口部４１，４２を開放する。なお，開放する開口部が第１開口部４１である場合には，整流器２２を取り外してから第１メンテナンス扉５１を開く。
【００３０】
このような操作により，処理すべき球流路３１，３２は，容易にメンテナンス可能な状態に開放される。そのため，清掃あるいは球詰まり解消等の適切なメンテナンス処理を容易に行うことができる。そして，メンテナンス終了後には，開口部４１，４２をメンテナンス扉５１，５２により閉塞する。その後，打球供給皿２全体を本体枠１０に収納する。
【００３１】
このように，本例では，背面板２０に設けられた球流路に通ずる開口部４１，４２を利用することができるので，従来よりも非常に簡単に清掃あるいは球詰まり解消等のメンテナンス処理を行うことができる。また，開口部４１，４２を利用する場合以外のときには，上記メンテナンス扉５１，５２を閉じておくことにより，球流路に支障を来すこともない。
【００３２】
実施形態例２
本例は，実施形態例１における第２メンテナンス扉５２のヒンジ部５２７に，第２メンテナンス扉５２を開いた状態で固定する扉開状態保持手段と閉じた状態で固定する扉閉状態保持手段とを設けた例である。
具体的には，図８に示すごとく，ヒンジ部５２７を，背面板２０に設けた左右一対のベースブラケット２７１と，第２メンテナンス扉５２に設けた左右一対の扉側ブラケット５７１とより構成した。
【００３３】
ベースブラケット２７１は，内方に向かって突出した軸用突起２７２と，さらにその上方において内方に向かって突出したストッパー用突起２７３を有している。
一方，扉側ブラケット５７１は，中央部に軸用貫通穴５７２を有し，その上下の外面側に第１係合凹部５７３と第２係合凹部５７４とを有している。そして，第１係合凹部５７３と上記ストッパー用突起２７３が係合状態にある場合には，第２メンテナンス扉５２が第２開口部４２を閉塞した状態となり，一方，第２係合凹部５７４と上記ストッパー用突起２７３が係合状態にある場合には，第２メンテナンス扉５２が第２開口部４２を開放した状態となる位置関係に構成した。
【００３４】
この場合には，上記ストッパー用突起２７３と，第１係合凹部５７３とを係合させることにより，容易に第２メンテナンス扉５２が閉じた状態を保持することができる。それ故，メンテナンス時以外の不要な第２メンテナンス扉５２の開放を防止することができる。また，上記ストッパー用突起２７３と，第２係合凹部５７４とを係合させることにより，容易に第２メンテナンス扉５２が開いた状態を保持することができる。それ故，メンテナンス作業をスムーズに行うことができる。
【００３５】
上記各実施形態例においては，一体皿構造の場合を例に挙げたが，２段構造の打球供給皿の場合にも，各種の球流路が存在し，これらの球流路に上記と同様の開口部及びメンテナンス扉を設けることも当然可能である。
【００３６】
【発明の効果】
上述のごとく，本発明によれば，球流路の清掃や球詰まり解消等のメンテナンスを容易に行うことができるパチンコ遊技機の打球供給皿を提供することができる。
【図面の簡単な説明】
【図１】実施形態例１におけるパチンコ遊技機全体を示す斜視図。
【図２】実施形態例１におけるパチンコ遊技機の打球供給皿を本体枠から開いた状態を示す説明図。
【図３】実施形態例１における上記打球供給皿を背面側から見た説明図。
【図４】図３のＡ−Ａ線矢視断面図。
【図５】図３のＢ−Ｂ線矢視断面図。
【図６】実施形態例１における上記打球供給皿を背面側から見た説明図であって，整流器を取り外した状態を示す説明図。
【図７】実施形態例１における上記打球供給皿を背面側から見た説明図であって，整流器及びメンテナンス扉を取り外した状態を示す説明図。
【図８】実施形態例２における，第２メンテナンス扉のヒンジ部の構造を示す展開説明図。
【符号の説明】
１．．．パチンコ遊技機，
１０．．．本体枠，
２．．．打球供給皿，
２０．．．背面板，
２１．．．球皿部，
２２．．．整流器，
２３．．．球抜き口，
３１．．．整流通路（球流路），
３２．．．球抜通路（球流路），
４１．．．第１開口部，
４２．．．第２開口部，
５１．．．第１メンテナンス扉，
５２．．．第２メンテナンス扉，
【図１】
0004014364.tif 000002
【図２】
0004014364.tif 000003
【図３】
0004014364.tif 000004
【図４】
0004014364.tif 000005
【図５】
0004014364.tif 000006
【図６】
0004014364.tif 000007
【図７】
0004014364.tif 000008
【図８】
0004014364.tif 000009